(57)【要約】  支持トレイと、左側壁と、右側壁と、区画室開口部と、停止要素と、１つ以上のヘアカラーキットとをそれぞれ含む複数の製品区画室を含む、ヘアカラーキットの販売促進用のディスプレイ。区画室開口部の高さは約４．７５ｃｍ〜約１２ｃｍである。１つ以上のヘアカラーキットはそれぞれ垂直面を有する。垂直面の高さは約４．５ｃｍ〜約９ｃｍである。垂直面の２５％超が、髪の色合いの見本である。垂直面の２５％未満が、人体の一部分の見本である。
2017522941.tif 000002
【特許請求の範囲】
【請求項１】
支持トレイと、左側壁と、右側壁と、区画室開口部と、停止要素と、１つ以上のヘアカラーキットとをそれぞれ含む複数の製品区画室を含む、ヘアカラーキットの販売促進用のディスプレイであって；
前記区画室開口部の高さは４．７５ｃｍ〜１２ｃｍであり；
前記１つ以上のヘアカラーキットはそれぞれ垂直面を含み；
前記垂直面の高さは４．５ｃｍ〜９ｃｍであり；
前記垂直面の２５％超が、髪の色合いの見本であり；及び
前記垂直面の２５％未満が、ヒトの顔、ヒトの首、ヒトの肩、及びこれらの組み合わせからなる群から選択される人体の一部分の見本である、ディスプレイ。
【請求項２】
前記垂直面の１５％未満が、前記ヒトの顔、前記ヒトの首、前記ヒトの肩、及びこれらの組み合わせからなる群から選択される前記人体の一部分の前記見本である、請求項１に記載のディスプレイ。
【請求項３】
前記垂直面の５％未満が、前記ヒトの顔、前記ヒトの首、前記ヒトの肩、及びこれらの組み合わせからなる群から選択される前記人体の一部分の前記見本である、請求項１又は２に記載のディスプレイ。
【請求項４】
前記垂直面には、前記ヒトの顔、前記ヒトの首、前記ヒトの肩、及びこれらの組み合わせからなる群から選択される前記人体の一部分の前記見本が実質的にない、請求項１〜３のいずれか一項に記載のディスプレイ。
【請求項５】
前記垂直面には、前記ヒトの顔、前記ヒトの首、前記ヒトの肩、及びこれらの組み合わせからなる群から選択される前記人体の一部分の前記見本がない、請求項１〜４のいずれか一項に記載のディスプレイ。
【請求項６】
前記垂直面の３５％超が、前記髪の色合いの前記見本である、請求項１〜５のいずれか一項に記載のディスプレイ。
【請求項７】
前記垂直面の４５％超が、前記髪の色合いの前記見本である、請求項１〜６のいずれか一項に記載のディスプレイ。
【請求項８】
前記垂直面の５５％超が、前記髪の色合いの前記見本である、請求項１〜７のいずれか一項に記載のディスプレイ。
【請求項９】
前記髪の色合いの前記見本が、ヒトの髪の見本である、請求項１〜８のいずれか一項に記載のディスプレイ。
【請求項１０】
前記複数の製品区画室が、暗い髪の色合いから明るい髪の色合いまでの段階で、前記髪の色合いの前記見本を表示する、請求項１〜９のいずれか一項に記載のディスプレイ。
【請求項１１】
前記複数の製品区画室が、それぞれ、１つのヘアカラーキットが除去されると、前記１つ以上のヘアカラーキットを前方に前進させる機械的な機構を含む、請求項１〜１０のいずれか一項に記載のディスプレイ。
【請求項１２】
前記１つ以上のヘアカラーキットが第１のキットを含み、前記第１のキットはベースを含み、前記支持トレイは、押し出し間隙を含み、及び前記押し出し間隙は、前記ベースを露出させて押し出す、請求項１〜１１のいずれか一項に記載のディスプレイ。
【請求項１３】
支持棚と、左側壁と、右側壁と、区画室開口部と、１つ以上のヘアカラーキットとをそれぞれ含む複数の製品区画室を含む、ヘアカラーキットの販売促進用のディスプレイであって；
前記支持棚は、前記１つ以上のヘアカラーキットの重量を支持し；
前記区画室開口部の高さは４．７５ｃｍ〜１１ｃｍであり；
前記１つ以上のヘアカラーキットはそれぞれ垂直面を含み；
前記垂直面の高さは４．５ｃｍ〜８ｃｍであり；及び
前記垂直面の４０％超が、髪の色合いの見本である、ディスプレイ。
【請求項１４】
前記垂直面の１５％未満が、ヒトの顔、ヒトの首、ヒトの肩、及びこれらの組み合わせからなる群から選択される人体の一部分の見本である、請求項１３に記載のディスプレイ。
【請求項１５】
前記区画室開口部の高さが、５ｃｍ〜１０ｃｍである、請求項１３又は１４に記載のディスプレイ。
【発明の詳細な説明】
【技術分野】
【０００１】
本明細書では、ヘアカラー製品の販売促進用のディスプレイを説明する。より詳細には、本明細書には、複数の製品区画室を含む、ヘアカラー製品の販売促進用のディスプレイを説明する。
【背景技術】
【０００２】
ヘアカラー製品の販売促進用の様々なディスプレイが公知である。これらのディスプレイは、鉛直高さがそれらの深さよりも長いヘアカラーキットを販売促進する。これらのようなディスプレイは、欠点を有する。これらの欠点は、（１）不必要な棚スペースを占有すること、および（２）消費者にとって髪の色合いの選択を困難にすることを含む。
【発明の概要】
【発明が解決しようとする課題】
【０００３】
上記に基づいて、棚スペースをあまり占有しない、及び（２）消費者にとって髪の色合いの選択プロセスを単純にする、ヘアカラー製品の販売促進用のディスプレイが必要とされている。
【課題を解決するための手段】
【０００４】
本発明の実施形態によれば、支持トレイと、左側壁と、右側壁と、区画室開口部と、停止要素と、１つ以上のヘアカラーキットとをそれぞれ含む複数の製品区画室を含む、ヘアカラーキットの販売促進用のディスプレイが提供される；区画室開口部の高さは約４．７５ｃｍ〜約１２ｃｍであり；１つ以上のヘアカラーキットはそれぞれ垂直面を含み；垂直面の高さは約４．５ｃｍ〜約９ｃｍであり；垂直面の２５％超が、髪の色合いの見本（illustration）であり；及び垂直面の２５％未満が、ヒトの顔、ヒトの首、ヒトの肩、及びこれらの組み合わせからなる群から選択される人体の一部分の見本である。
【０００５】
本発明のさらに別の実施形態によれば、支持棚と、左側壁と、右側壁と、区画室開口部と、１つ以上のヘアカラーキットとをそれぞれ含む複数の製品区画室を含む、ヘアカラーキットの販売促進用のディスプレイが提供される；支持棚は、１つ以上のヘアカラーキットの重量を支持し；区画室開口部の高さは約４．７５ｃｍ〜約１１ｃｍであり；１つ以上のヘアカラーキットはそれぞれ垂直面を含み；垂直面の高さは約４．５ｃｍ〜約８ｃｍであり；及び垂直面の４０％超が、髪の色合いの見本である。
【０００６】
本発明のこれらの及び他の特徴、態様、及び利点が、本開示を読むことから当業者には明らかとなる。
【０００７】
本明細書は、本発明を特に指摘し且つ明瞭に特許請求する特許請求の範囲で締めくくるが、本発明は、添付の図面と併せて、以下の説明からよりよく理解されると考えられる。
【図面の簡単な説明】
【０００８】
【図１】ディスプレイの実施形態の正面図である。
【図２】ディスプレイの実施形態の右側面図である。
【図３】１つ以上のヘアカラーキットがない状態の、ディスプレイの実施形態の正面図である。
【図４】製品区画室のうちの１つが１つ以上のヘアカラーキットを含まない、ディスプレイの実施形態の斜視図である。
【発明を実施するための形態】
【０００９】
下記で説明する全ての実施形態において、全ての百分率は、具体的に明記しない限り、全組成の重量による。全ての比は、具体的に明記しない限り、重量比である。有効桁数は、表示された量、又は測定精度のいずれかに対する限界を意味しない。全ての数量は、別段の具体的な指示がない限り、語「約」によって修正されることが理解される。別段の指示がない限り、全測定は、２５℃及び周囲条件で行われると理解され、「周囲条件」は、約１大気圧及び約５０％の相対湿度の条件を意味する。リストした成分に関連するような全てのそのような重量は、有効レベルに基づき、及び、他に特に規定がなければ、市販の材料に含まれ得るキャリア又は副産物を含まない。
【００１０】
本明細書では、「含む（comprising）」という用語は、最終結果に影響を及ぼさない他のステップ及び他の成分が追加され得ることを意味する。この用語は、「からなる」及び「から本質的になる」という用語を含む。本発明の組成物及び方法／プロセスは、本明細書で説明する本発明の要素及び限界、並びに本明細書で説明する追加的又は任意選択的な成分、構成成分、ステップ、又は限界のいずれかを含み得る、それらからなり得る、及びそれらから本質的になり得る。
【００１１】
特に断りのない限り、全ての構成成分又は組成物のレベルは、その構成成分又は組成物の有効成分に関するものであり、及びそのような構成成分又は組成物の市販の原材料源に存在し得る不純物、例えば、残留溶媒又は副産物を除外する。
【００１２】
全ての百分率及び比は、別段の指示がない限り、重量によって計算される。全ての百分率及び比は、別段の指示がない限り、全組成に基づいて計算される。「重量百分率」という用語は、本明細書では、「ｗｔ．％」で示され得る。
【００１３】
本明細書を通して与えられる最大数値限定は全て、それよりも低い数値限定の全てを、そのような低い数値限定が本明細書で明白に記載されたかのように、含むことを理解されたい。本明細書を通して与えられる最小数値限定は全て、それよりも高い数値限定の全てを、そのような高い数値限定が本明細書で明白に記載されたかのように、含む。本明細書を通して与えられる数値の範囲は全て、そのようなより広い数値の範囲内に入る、それよりも狭い数値の範囲の全てを、そのような狭い数値の範囲が本明細書で明白に記載されたかのように、含む。
【００１４】
ヘアカラーキットの販売促進用のディスプレイ２００は、（１）支持トレイ２０、（２）左側壁３０、（３）右側壁４０、（４）区画室開口部５０、（５）停止要素６０、及び（６）１つ以上のヘアカラーキット７０をそれぞれ含む複数の製品区画室１０を含み得る。
【００１５】
左側壁３０及び右側壁４０は、複数の製品区画室１０の後部から複数の製品区画室１０の前部まで延在し得る。左側壁３０及び右側壁４０は、１つ以上のヘアカラーキット７０を、ディスプレイ２００を構成する複数の製品区画室１０に分離するのに好適である任意の高さ、形状、輪郭、又はプロファイルとし得る。
【００１６】
実施形態では、停止要素６０は、製品が棚から押し出されないようにする、当該技術分野で公知の任意の要素とし得る。
【００１７】
区画室開口部５０の高さ８０は、約４．７５ｃｍ〜約１２ｃｍ、代替的には約５ｃｍ〜約１０ｃｍ、代替的には約５．５ｃｍ〜約１０ｃｍ、代替的には約６ｃｍ〜約９ｃｍ、代替的には約６ｃｍ〜約８ｃｍ、及び代替的には約７ｃｍ〜約９ｃｍとし得る。
【００１８】
１つ以上のヘアカラーキット７０は、それぞれ、垂直面９０を含み得る。垂直面９０の高さ１００は、約４．５ｃｍ〜約９ｃｍ、代替的には約５ｃｍ〜約７ｃｍ、代替的には約５ｃｍ〜約６．５ｃｍ、代替的には約５．５ｃｍ〜約６．５ｃｍ、代替的には約７ｃｍ〜約８ｃｍ、代替的には約６ｃｍ、及び代替的には約７．５ｃｍとし得る。
【００１９】
実施形態では、垂直面９０の２５％超が、髪の色合い１１０の見本とし、代替的には、垂直面９０の３５％超が、髪の色合い１１０の見本とし、代替的には、垂直面９０の４５％超が、髪の色合い１１０の見本とし、代替的には、垂直面９０の５５％超が、髪の色合い１１０の見本とし、代替的には、垂直面９０の６５％超が、髪の色合い１１０の見本とし得る。髪の色合い１１０の見本は、ヒトの髪の見本とし得る。
【００２０】
実施形態では、垂直面９０の２５％未満が、ヒトの顔、ヒトの首、ヒトの肩、及びこれらの組み合わせからなる群から選択される人体の一部分の見本とし得、代替的には、垂直面９０の１５％未満が、ヒトの顔、ヒトの首、ヒトの肩、及びこれらの組み合わせからなる群から選択される人体の一部分の見本とし得、代替的には、垂直面９０の１０％未満が、ヒトの顔、ヒトの首、ヒトの肩、及びこれらの組み合わせからなる群から選択される人体の一部分の見本とし得、代替的には、垂直面９０の５％未満が、ヒトの顔、ヒトの首、ヒトの肩、及びこれらの組み合わせからなる群から選択される人体の一部分の見本とし得、代替的には、垂直面９０には、ヒトの顔、ヒトの首、ヒトの肩、及びこれらの組み合わせからなる群から選択される人体の一部分の見本が実質的にないとし得、及び代替的には、垂直面９０には、ヒトの顔、ヒトの首、ヒトの肩、及びこれらの組み合わせからなる群から選択される人体の一部分の見本がないとし得る。
【００２１】
実施形態では、複数の製品区画室１０は、暗い髪の色合いから明るい髪の色合いまでの段階で、髪の色合い１１０の見本を表示し得る。
【００２２】
複数の製品区画室１０は、それぞれ、１つのヘアカラーキット７０が除去されると、１つ以上のヘアカラーキット７０を前方に前進させるための機械的な機構１４０を含み得る。
【００２３】
実施形態では、１つ以上のヘアカラーキット７０は、第１のキットを含んでもよく、第１のキットはベース１２０を含み、支持トレイ２０は、押し出し間隙（lifting gap）１３０を含み、及び押し出し間隙１３０は、ベース１２０の一部分を露出させて、押し出す。実施形態では、ベース１２０のその部分が露出されて、停止要素６０の上側に第１のキットを押し出し得る。
【００２４】
機械的な機構１４０は、約０．１５ｋｇ〜約１．２５ｋｇ、代替的には、約０．１５ｋｇ〜約１．１ｋｇ、代替的には、約０．３ｋｇ〜約１．１５ｋｇ、代替的には、約０．３ｋｇ〜約１．１ｋｇ、代替的には、約０．５ｋｇ〜約１．１ｋｇの力を有し得る。
【００２５】
実施形態では、機械的な機構１４０は、任意の公知の取付技術を使用してベース１２０に取り付けられ得る。実施形態では、機械的な機構１４０は、プッシャー面に接続されたプッシュ促進要素とし得る。プッシュ要素の一方の端部は、ベース１２０の前縁の近くでベース１２０に固定され、及びコイル状端部とし得るプッシュ要素の対向端部は、プッシャー面の後ろ側に位置決めされて、当該技術分野で公知のように、プッシャー面を、製品区画室１０の前の方へ促すようにし得る。
【００２６】
機械的な機構１４０は、任意の公知の取付技術を使用して、左側壁３０又は右側壁４０に取り付けられ得る。実施形態では、機械的な機構１４０は、プッシャー面に接続されたプッシュ促進要素とし得る。プッシュ要素の一方の端部は、左側壁３０又は右側壁の前縁の近くで左側壁３０又は右側壁４０に固定され、及びコイル状端部とし得るプッシュ要素の対向端部は、プッシャー面の後ろ側に位置決めされて、プッシャー面を、当該技術分野で公知のように、製品区画室１０の前の方へ促すようにし得る。
【００２７】
代替的な機械的な機構１４０は、米国特許第７，９２２，０１０号明細書に見出され、これを本願明細書に援用する。
【００２８】
機械的な機構１４０によって加えられた力は、フックの法則を使用して測定され得る。フックの法則は、バネをある距離（Ｘ）だけ伸長させる又は圧縮するために必要な力（Ｆ）は、その距離に比例することを述べている、物理学の原理である。すなわち、（Ｆ）＝（ｋ）（Ｘ）（式中、（ｋ）は、バネの定数係数の特徴、その剛性である）である。
【００２９】
実施形態では、力は、１つ以上のヘアカラーキット７０を前方に前進させるのに十分な強さとし得る。実施形態では、力は、１つ以上のヘアカラーキット７０を押しつぶすほど強くないとし得る。
【００３０】
１つ以上のヘアカラーキット７０は、毛髪着色剤組成物、毛髪脱色剤組成物、部分毛染め（highlighting）組成物、コンディショニング組成物、及びこれらの組み合わせからなる群から選択される毛髪処理組成物を含み得る。毛髪処理組成物は、ヘアカラーキット７０の内部に個別にパッケージされ得る。実施形態では、１つ以上のヘアカラーキット７０は、それぞれ、２種以上の毛髪処理組成物を含んでもよく、それらは適用前に混合される必要がある。
【００３１】
上記の変形例及び修正例は、本明細書で説明したディスプレイの範囲内にある。例えば、当業者は、上述の構成要素の複数が、店内で及び様々な構成で使用され得ることを理解する。
【００３２】
「代替的には」、「通常」、「一般的に」、「通例」、及び「一般に」などの用語は、本明細書では、特許請求する発明の範囲を限定するために、又はいくつかの特徴が、特許請求する発明の構造又は機能に臨界的である、本質的である、又はさらには重要であることを暗示するために用いられるのではないことをさらに留意されたい。むしろ、これらの用語は、単に、本明細書で説明するヘアケア組成物の特定の実施形態において使用されても又は使用されなくてもよい代替的な又は追加的な特徴を強調するためのものである。
【００３３】
本明細書で説明するヘアケア組成物を説明及び定義するために、さらに、「実質的に」という用語は、本明細書では、任意の定量比較、値、測定値、又は他の表現に起因し得る固有の不確実性の度合いを表すために使用されることに留意されたい。「実質的に」という用語はまた、本明細書では、定量的表現が、問題となっている主題の基本的な機能に変化を生じることなく、述べた基準値から変化し得る度合いを表すために使用される。
【００３４】
本発明を詳細に、及びその特定の実施形態を参照して説明したが、添付の特許請求の範囲において定義された本発明の範囲から逸脱することなく、修正例及び変形例が可能であることが明らかである。より具体的には、本明細書で説明するヘアケア組成物のいくつかの態様は、好ましい又は特に好都合であると特定されるが、本明細書で説明するヘアケア組成物は、必ずしも、本発明のこれらの好ましい態様に限定されるものではないと考えられる。
【００３５】
本発明の詳細な説明に引用される全ての文献は、関連部分において、本願明細書に援用される；任意の文献の引用は、本明細書で説明するヘアケア組成物に関する先行技術であるとの承認であるとはみなされない。この文書内での用語のいずれかの意味又は定義が、参照することにより援用される文書の用語のいずれかの意味又は定義と矛盾する限りでは、この文書内でその用語に割り当てられる意味又は定義が、支配する。
【図１】
2017522941.tif 000003
【図２】
2017522941.tif 000004
【図３】
2017522941.tif 000005
【図４】
2017522941.tif 000006
【国際調査報告】
2017522941.tif 000007
2017522941.tif 000008